(57)【要約】【課題】歌唱者の歌える音域の情報に基づいて、歌唱者が歌える曲を提案することができるので、歌唱者が歌を歌い始めてから、歌えなくなるという事態を防ぐことができるカラオケ選曲装置を提供する。【解決手段】カラオケ選曲装置１００は、歌唱者の音声が音声入力部(マイク３３)されると、前記入力された音声から歌唱者の音域情報を抽出する。カラオケ選曲装置１００は、楽曲の音域情報を含む曲情報を記憶した曲情報記憶部２３を備え、前記歌唱者の音域情報と楽曲の音域情報を比較して、前記歌唱者の音域情報と楽曲の音域情報が合致する楽曲情報を検索して、検索した楽曲情報を表示する。【選択図】  図１
2005107313.tif 000002
【特許請求の範囲】
【請求項１】
カラオケに用いられるカラオケ選曲装置の制御プログラムであって、
歌唱者の音声入力を受け付けるステップと、
前記入力された音声から歌唱者の音域情報を抽出するステップと、
前記歌唱者の音域情報と、楽曲の音域情報を比較するステップと、
歌唱者の音域情報と楽曲の音域情報が合致する楽曲情報を検索するステップと、
前記検索した楽曲情報を表示するステップとを、コンピュータに実行させることを特徴とするカラオケ選曲装置の制御プログラム。
【請求項２】
カラオケに用いられるカラオケ選曲装置であって、
歌唱者の音声入力を受け付ける音声入力部と、
前記入力された音声から歌唱者の音域情報を抽出する音域抽出部と、
楽曲の音域情報を含む曲情報を記憶した曲情報記憶部と、
前記歌唱者の音域情報と、楽曲の音域情報を比較する音域比較部と、
前記歌唱者の音域情報と楽曲の音域情報が合致する楽曲情報を検索する検索処理部と、
検索した楽曲情報を表示する表示部とを、備えたことを特徴とするカラオケ選曲装置。
【請求項３】
カラオケに用いられるカラオケ選曲装置の制御方法であって、
歌唱者の音声入力を受け付け、前記入力された音声から歌唱者の音域情報を抽出し、前記歌唱者の音域情報と楽曲の音域情報を比較し、歌唱者の音域情報と楽曲の音域情報が合致する楽曲情報を検索し、前記検索した楽曲情報を表示することを特徴とするカラオケ選曲装置の制御方法。
【発明の詳細な説明】
【技術分野】
【０００１】
この発明は、カラオケ選曲装置の制御プログラム、カラオケ選曲装置及びカラオケ選曲装置の制御方法に関し、更に詳述すれば、カラオケ装置に組み込まれ、または、カラオケ装置と共に使用されて、歌唱者がカラオケ楽曲を選曲する際に、歌唱者の音域に合った曲を提案する機能を備えたカラオケ選曲装置に関するものである。
【背景技術】
【０００２】
カラオケで歌唱したい曲をリクエストする場合、歌唱者が冊子形態の歌本（目次本）をめくって希望する曲番号を見つけて、リモコン装置を使ってカラオケ装置に当該曲番号を入力している。また、最近では、曲の検索機能を備えたカラオケ装置も登場している。
【０００３】
検索ができるカラオケ装置としては、その他、特許文献１に記載のものがある。
【特許文献１】特開2000-20077号公報
【発明の開示】
【発明が解決しようとする課題】
【０００４】
カラオケを良く利用する人は、歌唱できる歌を何曲か準備しているが、あまり利用しない人の場合、知っている曲はあっても、それを歌唱できるかどうかは、実際に歌ってみないと分らない。従って、歌えそうと思っていても、歌唱している途中で、歌えないことに気が付くことがあった。
【０００５】
本発明のカラオケ選曲装置は、このような事情に鑑みなされたものであり、歌唱する曲を選曲する際に、歌唱者の音域を考慮して、歌唱者が歌うことが可能な音域の曲を提案することが可能なカラオケ選曲装置を提供することを目的とする。
【課題を解決するための手段】
【０００６】
この発明は、上記目的を達成するため、カラオケに用いられるカラオケ選曲装置の制御プログラムであって、歌唱者の音声入力を受け付けるステップと、  前記入力された音声から歌唱者の音域情報を抽出するステップと、前記歌唱者の音域情報と、楽曲の音域情報を比較するステップと、歌唱者の音域情報と楽曲の音域情報が合致する楽曲情報を検索するステップと、前記検索した楽曲情報を表示するステップとを、コンピュータに実行させることを特徴とするカラオケ選曲装置の制御プログラムである。
【０００７】
また、この発明は、上記目的を達成するため、カラオケに用いられるカラオケ選曲装置であって、歌唱者の音声入力を受け付ける音声入力部と、前記入力された音声から歌唱者の音域情報を抽出する音域抽出部と、楽曲の音域情報を含む曲情報を記憶した曲情報記憶部と、前記歌唱者の音域情報と、楽曲の音域情報を比較する音域比較部と、前記歌唱者の音域情報と楽曲の音域情報が合致する楽曲情報を検索する検索処理部と、検索した楽曲情報を表示する表示部とを、備えたことを特徴とするカラオケ選曲装置である。  
【０００８】
また、この発明は、上記目的を達成するため、カラオケに用いられるカラオケ選曲装置の制御方法であって、歌唱者の音声入力を受け付け、前記入力された音声から歌唱者の音域情報を抽出し、前記歌唱者の音域情報と楽曲の音域情報を比較し、歌唱者の音域情報と楽曲の音域情報が合致する楽曲情報を検索し、前記検索した楽曲情報を表示することを特徴とするカラオケ選曲装置の制御方法である。
【発明の効果】
【０００９】
本発明のカラオケ選曲装置によれば、歌唱者の歌える音域の情報に基づいて、歌唱者が歌える曲を提案することができるので、歌唱者が歌を歌い始めてから、歌えなくなるという事態を防ぐことができるというすぐれた効果を奏することができる。
【発明を実施するための最良の形態】
【００１０】
この発明のカラオケ選曲装置は、カラオケ装置もしくはカラオケ装置と共に用いられる検索機能を備えたカラオケ用リモコン装置１００に採用される。
【００１１】
カラオケ選曲装置１００は、歌唱者の音声が音声入力部(マイク３３)されると、前記入力された音声から歌唱者の音域情報を抽出する。カラオケ選曲装置１００は、楽曲の音域情報を含む曲情報を記憶した曲情報記憶部２３を備え、前記歌唱者の音域情報と楽曲の音域情報を比較して、前記歌唱者の音域情報と楽曲の音域情報が合致する楽曲情報を検索して、検索した楽曲情報を表示する。
【実施例】
【００１２】
以下、この発明の実施例を図に基づいて説明する。
【００１３】
図１はこの発明の実施形態であるカラオケ選曲装置１００の外観図である。尚、この例では、本発明のカラオケ選曲装置１００を曲検索機能を備えたカラオケ選曲用リモコン装置として実現した例について説明する。
【００１４】
図において、該カラオケ選曲装置１００は、その上面に検索キーワードなどの入力や各種操作を行うための操作ボタンと、入力された検索キーワードや検索結果や後述する各種ソフトウエアボタンなどを表示する表示部２２と、カラオケ装置１にリモコン信号を送信するリモコン送信部２６を備えている。
【００１５】
操作ボタンにおいて、「曲名」ボタン１１,「歌手／ジャンル」ボタン１２,「新譜／発売年」ボタン１３は、それぞれが検索カテゴリを指示する検索ボタンであり、「曲名」ボタンは検索カテゴリ「曲名」での検索、「歌手名／ジャンル」ボタンは1回押下すれば検索カテゴリ「歌手名」による検索,２回押下すれば検索カテゴリ「ジャンル」による検索、「新譜／発売年」ボタンは１回押下すれば検索カテゴリ「新譜」による検索、２回押下すれば検索カテゴリ「発売年」による検索を行うことができる。
【００１６】
「音域登録」ボタン３０は、ユーザ（歌唱者）の音域（最低音から最高音までの幅）情報を登録するための登録ボタンである。３３は、音声入力用マイクであり、前記歌唱者の音域を登録する際に、歌唱者の声を入力するために使用される。
【００１７】
「音域検索」ボタン３１は、前記登録した歌唱者の音域にマッチした曲情報を検索する際に使用する音域検索ボタンである。
【００１８】
「音域調整」ボタン３２は、前記登録した歌唱者の音域に基づいて、選択した楽曲の歌唱音域と、前記歌唱者の音域が一致するように、楽曲のキーを自動的に上下して調整する際に使用する音域調整ボタンである。
【００１９】
４０および４１は、楽曲のキーを手動で変更するためのキー変更ボタンである。
【００２０】
又、操作ボタン１４は、表示部２２にソフトウエアボタンを表示するための「リモコン」ボタンである。
【００２１】
操作ボタン１５は曲名や歌手名などの検索キーワードを入力するための平仮名,アルファベットなどの文字入力ボタンであり、１つのボタンに複数の文字が割り当てられている。例えば、ボタン１５１には、あ行の仮名文字（あ，い，う，え，お）と数字「１」が割り当てられており、仮名文字入力モード時（デフォルトは仮名文字入力モード、数字を入力する際には、「文字」ボタン１５２でモードを変更する）に、ボタン１５１を一回押下すると「あ」が入力され、もう一度（連続して二回）押下すると「い」が入力され、同様に、三回押下で「う」、四回押下で「え」、五回押下で「お」、六回押下以降は、「あ」に戻り、以降、押下毎にサイクリックに文字が切り替わる。「ああ」と入力する場合は、ボタン１５１を一回押下した後、カーソル移動ボタン１７を押下することで、次の文字入力が可能になるため、その後、ボタン１５１を一回押下すればよい。
【００２２】
１６は「決定」ボタン、１７はカーソル移動ボタン、１８は「戻る」ボタン、１９は電源の「ＯＮ／ＯＦＦ」ボタンである。
【００２３】
図２は、カラオケ選曲装置１００の機能ブロック構成図である。
【００２４】
図中、２１は前記各操作ボタンのボタン押下を検出するＫｅｙＩ／Ｆ部、２２は入力された検索キーワードや検索結果や各種ソフトウエアボタンなどを表示するＬＣＤ等の表示部であり、該表示部２２上にはタッチ入力パネルが敷設されている。このようにカラオケ選曲装置１００は、検索キーワードなどの検索条件を入力するための複数の入力ボタンと、検索条件や検索結果を表示するための比較的大きな表示画面の表示部を備える必要があるが、そのためにカラオケ選曲装置が大型化しないように、使用頻度の比較的低いボタンは、ソフトウエアボタンとして必要なときに表示部２２に表示して、タッチ入力表示部から入力可能に構成してリモコン装置として小型化を図っている。
【００２５】
２３は音域登録処理プログラムや音域検索処理プログラムなどの本発明のカラオケ選曲１００の各種制御プログラムを記憶すると共に検索用の曲情報データベース２３１（曲名、歌手名、ジャンル、新譜、発売年、唄い出し（歌詞）、音域情報等の曲の属性情報）を記憶する記憶部である。
【００２６】
２７は、前記「音域登録」ボタン３０の操作に応じて、歌唱者の音域を登録する音域登録部であり、歌唱者の声を入力するためのマイク３３と、アナログ−デジタル変換器（Ａ／Ｄ変換器）２７１を備え、入力された歌唱者の声から音域情報を作成して出力する。
【００２７】
２８は、前記音域登録部２７で作成された歌唱者の音域情報を記憶する曲情報データベース２８１を備えた音域情報記憶部である。
【００２８】
前記曲情報データベース２８１は、図３に示した検索テーブルの構成を備えている。
【００２９】
図において、「データ番号」は登録されているデータ毎につける番号、「曲名キーワード」は曲名検索用のキーワードデータ、「曲名表示用データ」は曲名の文字列、「歌手名キーワード」は歌手名検索用のキーワード、「歌手名表示用データ」は歌手名の文字列、「歌手名ＩＤ」は歌手ごとにつけるＩＤ番号、「歌い出しデータ」は曲の歌い出し部の歌詞データ、「想定歌唱者周波数データ」は曲データを作る際に想定した歌唱者の声の音声帯域データ（音域情報）である。尚、カラオケで演奏される楽曲は、想定歌唱者を設定して、設定した想定歌唱者の声の高さ（実際の歌手が歌う声の高さより数音階低い）に基づいて楽曲データが作成される。
【００３０】
２４は前記記憶部２３のプログラムに基づいて各種処理・制御を実行する処理部であり、前記歌唱者の音域情報に基づいて、マッチする曲情報を検索する検索処理部２４１を備える。
【００３１】
２５は電源部、２６はカラオケ装置１に曲のリクエスト予約を行なったり、カラオケ装置１の音量やピッチをリモートコントロールするリモコン制御信号を送信するリモコン送信部である。
【００３２】
次に、カラオケ選曲装置１００を利用して歌唱者の音域にマッチした楽曲検索を行い、カラオケ装置１にリクエスト曲をリモコン予約処理する際の処理の流れを、図４、５のフローチャートを用いて説明する。
【００３３】
ユーザ（歌唱者）が自分の音域に合った楽曲を検索する場合には、まず、自分の音域を登録する。処理部２４は、「音域登録」ボタン３０が押下されたことを検出すると（ステップ１、以下、ステップをＳと略記する、図面においても同じ）、音域登録処理に移行して、表示部２２に音域登録画面を表示する（Ｓ２）。音域登録画面には、音域登録の手順情報が表示される。ユーザは、表示された手順情報（例えば、「ドレミファソラシドをリモコンのマイクに向かって発声して下さい。」）に基づいて、マイク３３に向かって発声すると、音域登録部２７は、入力された音声を周波数分析して（Ｓ４）、最低音から最高音までの幅情報から音域情報を作成する（Ｓ５）。作成された音域情報は、処理部２４の制御を受けて、音域情報記憶部２８に一時記憶される。
【００３４】
ここで、今後も、記憶した音域情報を使った楽曲検索を行いたい場合には、前記音域情報を歌唱者音域データベース２８１への登録を指示する（Ｓ８）。次の歌唱者と特定するための個人識別情報をＩＣカード又は文字入力ボタン１５を使用して入力し（Ｓ８）、入力が完了すれば（Ｓ９）、歌唱者音域データベース２８１へ音域情報を前記個人識別情報とともに記憶する。
【００３５】
次に登録した音域情報を利用して、楽曲検索を行う流れを図５のフローチャートに基づいて説明する。
【００３６】
ユーザは、前記音域登録した音域情報に基づいて楽曲検索を行う場合、「音域検索」ボタン３１を押下する。「音域検索」ボタン３１が押下されると（Ｓ１）、表示部２２に音域検索画面が表示される（Ｓ１１）。
【００３７】
ここで、ユーザは、登録した音域情報を呼び出して利用することも可能である。この場合、ユーザは識別情報を入力する。識別情報が入力されると（Ｓ１２）、該識別情報に基づいて、歌唱者音域情報データベース２８１から該当する音域情報を読み出す（Ｓ１４）。
【００３８】
一方、識別情報を入力しない場合は、前記音域情報記憶部２８に一時記憶している音域情報を利用する（Ｓ１３）。
【００３９】
検索処理部２４１は、読み出した識別情報に基づいて、曲情報データベースを検索し、ユーザの音域情報とマッチする想定歌唱者の音域情報を検索する（Ｓ１５）。この検索では、ユーザの音域情報＞＝想定歌唱者の音域情報、を満足する楽曲情報をリストアップする。
【００４０】
尚、上記条件を満足する楽曲が無い場合は、キーを上下に半音階高くするか、低くして音域が合う楽曲を検索する。キー半音ずらしても音域が合う楽曲が無い場合は、更に、半音上下にずらして、音域があう楽曲を検索するように構成してもよい。この場合は、キーが異なるため、選曲した楽曲のリクエスト時に、キーのずれ量をカラオケ装置に知らせる構成とすることで、カラオケ再生の際に、カラオケ装置において、キーを調整することで、キーの合った再生が可能である。
【００４１】
また、ユーザの音域情報＜想定歌唱者の音域情報の楽曲であっても、一致率の高い曲は、歌える可能性があるため、このような楽曲をリストアップする構成としてもよい。
【００４２】
また、上記条件を満足する曲が無い場合は、音域情報で示される音階の幅が一致又は狭い楽曲をリストアップする構成としてもよい。この場合は、キーが合わないため、楽曲を再生する際に、ユーザの音域情報に基づいて、楽曲のキーやガイドメロディの値の設定を変更するように構成する。
【００４３】
検索結果リストは表示部２２に表示される（Ｓ１６）。
【００４４】
ユーザが表示されたリストから所望の楽曲を選択すると（Ｓ１７）、リモコン送信部２６からリモコン情報がカラオケ装置１へ送信される（Ｓ１８）。
【００４５】
尚、ステップ１６で、音域検索の検索結果リストが表示された際に、そのリストに基づいて、絞込み検索を行うことも可能である。この場合には、該当する検索ボタン「ジャンル」などを押下することで、音域検索の結果リストを対象とした絞込み検索が可能である。
【００４６】
また、上記実施例では、カラオケ選曲装置をリモコン装置に組込んだ例を説明したが、カラオケ装置本体1側に組込んだ構成とすることも可能である。また、検索機能のみをカラオケ装置本体1側に組み込み、検索の指示などをリモコン装置から行う構成とすることも可能である。
【００４７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４８】
【図１】この発明の実施の形態であるカラオケ選曲装置１００の外観図である。
【図２】この発明の実施の形態にかかるカラオケ選曲装置１００の機能ブロック構成図を示す説明図である。
【図３】この発明の実施の形態にかかる曲情報データベース２８１の検索テーブルの構成を示す説明図である。
【図４】この発明の実施の形態にかかるカラオケ選曲装置１００の動作フローチャートである。
【図５】この発明の実施の形態にかかるカラオケ選曲装置１００の動作フローチャートである。
【符号の説明】
【００４９】
１００    カラオケ選曲装置
１１      「曲名」ボタン
１２      「歌手／ジャンル」ボタン
１３      「新譜／発売年」ボタン
１４      「リモコン」ボタン
１５      文字入力ボタン
１５１    文字入力ボタン
１５２    文字入力ボタン
１５３    文字入力ボタン
１５４    文字入力ボタン
１６      「決定」ボタン
１７      カーソル移動ボタン
１８      「戻る」ボタン
１９      「ＯＮ／ＯＦＦ」ボタン
２１      Ｋｅｙ Ｉ／Ｆ部
２２      表示部（表示部）
２３      記憶部
２３１    曲情報データベース（曲情報記憶部）
２４      処理部（表示部）
２４１    検索処理部（音域比較部、検索処理部）
２５      電源部
２６      リモコン送信部
２７      音域登録部（音声抽出部）
２７１    Ａ／Ｄ変換部
２８      音域情報記憶部
２８１    歌唱者音域データベース
３０      「音域登録」ボタン
３１      「音域検索」ボタン
３２      「音域調整」ボタン
３３      音声入力用マイク（音声入力部）
４０      キー変更ボタン
４１      キー変更ボタン
１        カラオケ装置（カラオケコマンダ）
【図１】
2005107313.tif 000003
【図２】
2005107313.tif 000004
【図３】
2005107313.tif 000005
【図４】
2005107313.tif 000006
【図５】
2005107313.tif 000007